(57)【要約】  【課題】営業マンを補助する機能を兼ねており、しかも広告宣伝用のチラシや名刺などを安定よく、かつ何枚も、サイズを問わずに保持できる簡易で安価なメッセージスタンドを実現する。  【解決手段】両足を鋭角に開いた状態のベースを有していて、安定性に富んでいる姿態であるから、チラシなどの紙類を保持しても不安定になる恐れは無く、安心して使用できる。しかも、営業マンなどのヒトが礼儀正しく立っている状態をイメージできる姿態であるから、実物の営業マンでなくても許容でき、微笑ましくさえ思える。従って、インテリアとしても利用可能である。逆Ｖ字状乃至逆Ｕ字状をした内バネと外バネの根元の部分が、左右の足と一体になった構造も可能である。【選択図】図１
2014142397.tif 000002
【特許請求の範囲】
【請求項１】
両足を鋭角に開いた状態のベースを有していて、安定性に富んでおり、しかも営業マンなどのヒトが礼儀正しく立っている状態をイメージできる姿態であり、かつチラシなどの紙類を保持する保持手段を有していることを特徴とするメッセージスタンド。
【請求項２】
前記の保持手段が、断面Ｕ字状のバネ構造が１以上形成されていることを特徴とする請求項１に記載のメッセージスタンド。
【請求項３】
前記の断面Ｕ字状のバネ部が、中間部を除去して左右２本の板バネで連結した構造であることを特徴とする請求項２に記載のメッセージスタンド。
【請求項４】
逆Ｖ字状ないし逆Ｕ字状をした内バネと外バネの根元の部分が、左右の足又は左右の足の踵の部分と一体になっており、しかも付け根の部分は、左右に所定の間隔をおいて一直線状に立っている構造であることを特徴とする請求項１に記載のメッセージスタンド。
【請求項５】
鋭角に開いた状態の両足を有するボディ部は、ヒトが起立した姿態であることを特徴とする請求項１に記載のメッセージスタンド。
【発明の詳細な説明】
【技術分野】
【０００１】
本発明は、名刺やチラシ或いは伝言メモなど、広告宣伝やメッセージを伝える記録紙類を好印象かつ長期間表示できるようにした簡易で安価なメッセージスタンドに関する。
【背景技術】
【０００２】
商品やサービスを広告するには、テレビやラジオ、新聞雑誌やインターネットなど、様々な手段が有るがこのようなメディアを使用した広告宣伝は、対象を絞って個別にフェイスｔｏフェイスで、広告宣伝の内容を紹介することはできない。しかし、営業マンが訪問して、広告宣伝用に名刺やチラシを提示しても、十分に見ずに破棄されたり、営業マンの顔も覚えられないままで終わり、徒労に帰することになる。
このような問題を解決するような、対応者が感情移入しやすく第一印象がよく、長期間メッセージを発信する、営業マンを補助する働きをするメッセージスタンドは存在しない。
【先行技術文献】
【特許文献】
【０００３】
【特許文献１】実用新案登録第3174548 号
【特許文献２】特開2003−112500
【特許文献３】実用新案登録第3040763 号
【特許文献４】特開2004−195160
【発明の概要】
【発明が解決しようとする課題】
【０００４】
簡易構造のスタンドとしては、特許文献１のように、卓上ブックカレンダ専用の構造は知られているが、広告宣伝のスペースが取れず、しかもブックカレンダを保持する構造であるため、汎用性に欠ける。
特許文献２のように、楽しさとユーモアを加味したスタンドは知られているが、スタンド自体が目障りな上、営業マンを補助する機能は全く果たしていない。
特許文献３の構造は、書類自体の下端を湾曲させて自立させるので、広告宣伝のためのスペースは確保できるが、１枚しか保持できないとか、両手で開閉するための操作を要し、営業マンを補助する機能は全く無い。
特許文献４は、厚肉の物でも保持できる利点は有るが、大きなサイズだと安定性が悪く水平に保持し難い、２以上の枚数を保持できない、営業マンを補助する機能は全く考慮されていない。
本発明の技術的課題は、このような問題に着目し、営業マンを補助する機能を兼ねており、しかも広告宣伝用のチラシなどを安定よく、かつ何枚も、サイズを問わずに保持できるスタンドを実現することにある。
【課題を解決するための手段】
【０００５】
請求項１は、両足を鋭角に開いた状態のベースを有していて、安定性に富んでおり、しかも営業マンなどのヒトが礼儀正しく立っている状態をイメージできる姿態であり、かつチラシなどの紙類を保持する保持手段を有していることを特徴とするメッセージスタンドである。
【０００６】
請求項２は、前記の保持手段が、断面Ｕ字状のバネ構造が１以上形成されていることを特徴とする請求項１に記載のメッセージスタンドである。
【０００７】
請求項３は、前記の断面Ｕ字状のバネ部が、中間部を除去して左右２本の板バネで連結した構造であることを特徴とする請求項２に記載のメッセージスタンドであり、板バネが細くなっている。
【０００８】
請求項４は、逆Ｖ字状ないし逆Ｕ字状をした内バネと外バネの根元の部分が、左右の足又は左右の足の踵の部分と一体になっており、しかも付け根の部分は、左右に所定の間隔をおいて一直線状に立っている構造であることを特徴とする請求項１に記載のメッセージスタンドである。
【０００９】
請求項５は、鋭角に開いた状態の両足を有するボディ部は、ヒトが起立した姿態であることを特徴とする請求項１に記載のメッセージスタンドである。
【発明の効果】
【００１０】
請求項１のように、両足を鋭角に開いた状態のベースを有していて、安定性に富んでいる姿態であるから、チラシなどの紙類を保持しても不安定になる恐れは無く、安心して使用できる。しかも、営業マンなどのヒトが礼儀正しく立っている状態をイメージできる姿態であるから、実物の営業マンでなくても許容でき、微笑ましくさえ感受できる。従って、インテリアとして利用することもできる。
【００１１】
請求項２のように、前記の保持手段が、断面Ｕ字状のバネ構造が１以上形成されている構造だと、簡素な構造のため、安価に提供できる。しかも、断面Ｕ字状のバネ構造が複数だと、複数か所で保持するので、安定性が増す。
【００１２】
請求項３のように、前記の断面Ｕ字状のバネ部が、中間部を除去して左右２本の板バネで連結した構造であるため、実質的に２か所で保持したことになり、保持の安定性が増すほか、板バネが細くなるので、バネ性が軟らかくなり、チラシなどの着脱が容易になる。
【００１３】
請求項４のように、逆Ｖ字状ないし逆Ｕ字状をした内バネと外バネの根元の部分が、左右の足又は左右の足の踵の部分と一体になっており、しかも付け根の部分は、左右に所定の間隔をおいて一直線状に立っている構造の保持手段にすると、深く差し込むほどに手の受ける抵抗が次第に強くなるので、紙葉類を差し込む際の感触で、差し込める深さが判断できる。その結果、差し込もうとする紙葉類の腰の強さに応じて、差し込む深さを変えるだけで、腰の強さがまちまちの紙葉類でも容易に保持できる。
【００１４】
請求項５のように、鋭角に開いた状態の両足を有するボディ部は、ヒトが起立した姿態であるため、実際の営業マンにより近い姿態となり、より擬人化できる。可愛らしい動物の姿態にすれば、置物として兼用できる。
【図面の簡単な説明】
【００１５】
【図１】本発明によるメッセージスタンドの全容を示す斜視図である。
【図２】ベースの部分を拡大して示した図で、（１）は斜視図、（２）は正面図である。
【図３】断面Ｕ字状のバネ部の各種態様を示す図で、（１）は正面図、（２）は側面図、（３）は別の態様を示す側面図である。
【図４】バネ圧が変動型の保持構造の斜視図である。
【発明を実施するための形態】
【００１６】
次に本発明によるメッセージスタンドが実際上どのように具体化されるか実施形態を説明する。図１は、本発明によるメッセージスタンドの全容を示す斜視図であり、営業マン１が名刺２をメッセージスタンドの保持手段３に保持している状態である。営業マン１は、両足Ｌ、Ｒを鋭角に開いて起立している。
このように、両足Ｌ、Ｒを鋭角に開いて起立している状態であるから、ベースが安定しており、名刺やチラシなどを安定良く持って起立できる。しかも、営業マン１などのヒトが礼儀正しく立っている状態をイメージできる姿態であるから、見るヒトに好印象を与えることができる。
【００１７】
図２は、人体に相当する部分１を除去して、ベースの部分を拡大して示した図であり、前記の保持手段３は、断面Ｕ字状のバネ構造の例である。図示例は、板バネ状であるから幅が有り、（２）のように、名刺やチラシなど２を安定良く保持できる。線材からなる構造でもよいが、線材の場合は、保持される名刺やチラシなどとの接触面積が小さいので、複数箇所で保持できる構造が望ましい。
もちろん、図示のような板バネ構造の保持手段３であっても、複数箇所で保持する構造であると、保持されるシート類が大型のサイズの場合に、安定して保持できる。例えば、左足Ｌの上にも、右足Ｒの上にも保持手段３を設け、複数にするのである。
【００１８】
図２のように、板バネ状の全幅で保持するとバネ力が強過ぎる場合があるので、保持部を広く出来ず、安定良く保持できない。従って、バネ力が強過ぎる場合は、図３（１）のように、断面Ｕ字状のバネ部が、中間部４を除去して、左右２本の板バネ５、６で連結した構造にできる。
この場合の保持部３の全幅Ｗは、左足Ｌと右足Ｒからはみ出ても差し支えない。全幅Ｗを大きくした方が、安定良く保持できる。
（２）は、見るヒトの視線より下側に保持手段３を置く場合に、見やすいように傾斜させた構造である。図のように左に倒した構造にすると、右側からは見やすくなる。
（３）のように、保持部３を鉛直に立てると、左側からも右側からも見えるが、保持部３を目の高さに置く必要がある。
【００１９】
図４は、バネ圧が変動型の保持構造の斜視図で、（１）は全容を示す図、（２）は紙葉２を保持している状態を示す図である。９１は内バネ、９２は外バネで、それぞれ逆Ｖ字状をしており、しかも根元の部分（両脚の部分）が、左右の足Ｌ、Ｒ又は左右の足Ｌ、Ｒの踵の部分と一体に起立している。逆Ｖ字状の内バネ９１と逆Ｖ字状の外バネ９２の付け根の部分は、左右に所定の間隔をおいて一直線状に立っている。
使用に際しては、（２）図のように、内バネ９１と外バネ９２の間の隙間の部分に、上方から名刺やチラシ等の紙葉類２を差し込むだけでよい。しかし、浅く差し込んだ場合は、逆Ｖ字状をした内バネ９１と外バネ９２の上端寄りほどバネ圧が弱いので、保持力が弱く、離脱しやすい。
逆に、下端の付け根寄りほどバネ圧が強いので、紙葉類２を深く差し込むと保持力が強く、離脱し難い。深く差し込むほどに手の受ける抵抗が次第に強くなるので、紙葉類２を差し込む際の感触で、差し込める深さが判断できる。
なお、形状は、逆Ｖ字状に代えて逆Ｕ字状にしてもよいし、両者の中間の形状でもよい。断面形状は、円形でもよいし板材を打ち抜いた形状でもよい。
【産業上の利用可能性】
【００２０】
以上のように、本発明の構成によると、両足を鋭角に開いた状態のベースを有しているので、広告宣伝用のチラシなどを安定よく、かつ何枚も、サイズを問わずに保持できる。しかも、営業マンなどのヒトが礼儀正しく立っている状態をイメージできる姿態であるから、営業マンを補助する機能を兼ねることができる。
【符号の説明】
【００２１】
１  営業マン
２  名刺
３  保持手段
Ｌ  左足
Ｒ  右足
４  中間部
５・６  板バネ部
91  内バネ
92  外バネ
【図１】
2014142397.tif 000003
【図２】
2014142397.tif 000004
【図３】
2014142397.tif 000005
【図４】
2014142397.tif 000006